(57)【要約】【課題】蓋の閉め忘れ等で外部機器接続用のコネクタが水没してもカメラの誤動作や故障、撮影データの破損等を防ぐことができる防水ケース等を提供する。【解決手段】外部機器からのコネクタを取り付けるための取付部１９を備えたカメラ１５を収納するための防水ケース１で、ケース１とカメラ１５を接続するケーブル８と、前記コネクタを取り付け可能な取付部７と、取付部７に着脱自在で取付部７を防水するための蓋部材１０と、前記コネクタ又は蓋部材１０が取付部７に取り付けられていることを検出する検出部２１と、カメラ１５を起動するための操作部５と、操作部５を係止してカメラ１５の起動を禁止する係止手段２３とを有し、係止手段２３は検出部２１によって前記コネクタ又は蓋部材１０が取付部７に取り付けられていることを検出された際に操作部５の係止を解除しカメラ１５の起動を許可する。【選択図】図３
2006343581.tif 000002
【特許請求の範囲】
【請求項１】
外部機器からのコネクタを取り付けるための取付部を備えたカメラを収納するための防水ケースであって、
前記防水ケースと前記カメラとを接続するケーブルと、
前記防水ケース外部に設けられており前記コネクタを取り付け可能な取付部と、
前記取付部に着脱自在であって前記取付部を防水するための蓋部材と、
前記コネクタ又は前記蓋部材が前記取付部に取り付けられていることを検出する検出部と、
前記防水ケース外部に設けられており前記カメラを起動するための操作部と、
前記操作部を係止して前記カメラの起動を禁止する係止手段とを有し、
前記係止手段は、前記検出部によって前記コネクタ又は前記蓋部材が前記取付部に取り付けられていることを検出された際に、前記操作部の係止を解除し前記カメラの起動を許可することを特徴とする防水ケース。
【請求項２】
前記検出部は、前記取付部内に配置されており、前記コネクタ又は前記蓋部材が前記取付部に取り付けられた際に前記防水ケース内部へ押し込まれる突起部材からなり、
前記突起部材と前記係止手段とを連動させるための連動部材をさらに有し、
前記係止手段は、前記突起部材が前記防水ケース内部へ押し込まれた際に、前記連動部材を介して当該係止手段が前記操作部を係止しない位置へ退避することを特徴とする請求項１に記載の防水ケース。
【請求項３】
前記係止手段を駆動するための駆動部と、
前記駆動部に電力を供給する電源部とを有し、
前記係止手段による前記操作部の係止の解除は、前記係止手段が前記操作部を係止しない位置へ、前記駆動部によって前記係止手段を退避させて行うことを特徴とする請求項１に記載の防水ケース。
【請求項４】
外部機器からのコネクタを取り付けるための取付部を備えたカメラと、前記カメラを収納する防水ケースとからなる防水カメラシステムであって、
前記防水ケースは、
前記防水ケースと前記カメラとを接続するケーブルと、
前記防水ケース外部に設けられており前記コネクタを取り付け可能な取付部と、
前記取付部に着脱自在であって前記取付部を防水するための蓋部材と、
前記コネクタ又は前記蓋部材が前記取付部に取り付けられていることを検出する検出部と、
前記防水ケース外部に設けられており前記カメラを起動するための操作部と、
前記操作部を係止して前記カメラの起動を禁止する係止手段とを有し、
前記係止手段は、前記検出部によって前記コネクタ又は前記蓋部材が前記取付部に取り付けられていることを検出された際に、前記操作部の係止を解除し前記カメラの起動を許可することを特徴とする防水カメラシステム。
【請求項５】
前記検出部は、前記取付部内に配置されており、互いに接触して導通している一対の検出端子からなり、
前記一対の検出端子は、前記コネクタ又は前記蓋部材が前記取付部に取り付けられた際に前記コネクタ又は前記蓋部材によって前記検出端子どうしの接触が妨げられて非導通状態となることで、前記コネクタ又は前記蓋部材が前記取付部へ取り付けられたことを検出することを特徴とする請求項４に記載の防水カメラシステム。
【発明の詳細な説明】
【技術分野】
【０００１】
本発明は、カメラの防水ケース及び防水カメラシステムに関する。
【背景技術】
【０００２】
現在、大半のデジタルカメラは防水構造になっていない。このため水中で撮影を行う場合、デジタルカメラはＯリングやパッキンを備えた密閉構造の防水ケースに収納して使用される。斯かる防水ケースの操作ボタン類は、直接的又は間接的にカメラの操作ボタン類と接続されて、防水ケース側からカメラを操作することが可能である。ただし、デジタルカメラを防水ケースに収納する際には、水漏れが発生しないように正しく密閉する必要があり、通常３０ｃｍ以上に及ぶＯリングの全周にわたってゴミ等が付着していないか確認し、万全を期すためには収納後に水漏れの確認が必要となる。
【０００３】
またデジタルカメラは、カメラ本体にケーブルを接続することで撮影データを取り出すことができる点でフィルムカメラと異なる。またデジタルカメラは、電池の消費量は大きいものの、カメラ本体に充電機能を備えれば、同様にケーブルを接続して充電を行い、繰り返し使用することができる。
【０００４】
従来この特性を利用して、防水ケースにコネクタを設け、外部機器と防水ケース内に収納したデジタルカメラとを当該コネクタを介して接続することで、防水ケース内にデジタルカメラを収納したままで撮影データの取り出しや充電を可能とする防水ケースが提案されている（例えば、特許文献１を参照。）。これにより、数日にわたって水中での撮影を繰り返し行う場合でも、撮影データの取り出しや充電のたびに防水ケースを開ける必要がなくなるため、上述した水漏れの確認の手間を軽減でき、そして水漏れの危険を回避することができる。
【特許文献１】特願平１１−１０９４７２号公報
【発明の開示】
【発明が解決しようとする課題】
【０００５】
しかしながら、上記特許文献１に開示されている防水ケースは、ケース外部のコネクタに設けられた蓋のみを撮影に際して主に開閉することとなる。このため、蓋を閉め忘れてしまうという危険が生じ、特にコネクタが水没した状態でデジタルカメラを起動させると、カメラ内部の回路がショートし誤動作や撮影データの破損或いはデジタルカメラの故障等の不具合が生じてしまうという問題がある。
【０００６】
そこで本発明は上記問題点に鑑みてなされたものであり、蓋の閉め忘れ等によって外部機器接続用のコネクタが水没しても、カメラの誤動作や故障及び撮影データの破損等を防ぐことができる防水ケース及び防水カメラシステムを提供することを目的とする。
【課題を解決するための手段】
【０００７】
上記課題を解決するために本発明は、
外部機器からのコネクタを取り付けるための取付部を備えたカメラを収納するための防水ケースであって、
前記防水ケースと前記カメラとを接続するケーブルと、
前記防水ケース外部に設けられており前記コネクタを取り付け可能な取付部と、
前記取付部に着脱自在であって前記取付部を防水するための蓋部材と、
前記コネクタ又は前記蓋部材が前記取付部に取り付けられていることを検出する検出部と、
前記防水ケース外部に設けられており前記カメラを起動するための操作部と、
前記操作部を係止して前記カメラの起動を禁止する係止手段とを有し、
前記係止手段は、前記検出部によって前記コネクタ又は前記蓋部材が前記取付部に取り付けられていることを検出された際に、前記操作部の係止を解除し前記カメラの起動を許可することを特徴とする防水ケースを提供する。
【０００８】
また本発明の防水ケースは、
前記検出部は、前記取付部内に配置されており、前記コネクタ又は前記蓋部材が前記取付部に取り付けられた際に前記防水ケース内部へ押し込まれる突起部材からなり、
前記突起部材と前記係止手段とを連動させるための連動部材をさらに有し、
前記係止手段は、前記突起部材が前記防水ケース内部へ押し込まれた際に、前記連動部材を介して当該係止手段が前記操作部を係止しない位置へ退避することを特徴とする。
【０００９】
また本発明の防水ケースは、
前記係止手段を駆動するための駆動部と、
前記駆動部に電力を供給する電源部とを有し、
前記係止手段による前記操作部の係止の解除は、前記係止手段が前記操作部を係止しない位置へ、前記駆動部によって前記係止手段を退避させて行うことを特徴とする。
【００１０】
また本発明は、
外部機器からのコネクタを取り付けるための取付部を備えたカメラと、前記カメラを収納する防水ケースとからなる防水カメラシステムであって、
前記防水ケースは、
前記防水ケースと前記カメラとを接続するケーブルと、
前記防水ケース外部に設けられており前記コネクタを取り付け可能な取付部と、
前記取付部に着脱自在であって前記取付部を防水するための蓋部材と、
前記コネクタ又は前記蓋部材が前記取付部に取り付けられていることを検出する検出部と、
前記防水ケース外部に設けられており前記カメラを起動するための操作部と、
前記操作部を係止して前記カメラの起動を禁止する係止手段とを有し、
前記係止手段は、前記検出部によって前記コネクタ又は前記蓋部材が前記取付部に取り付けられていることを検出された際に、前記操作部の係止を解除し前記カメラの起動を許可することを特徴とする防水カメラシステムを提供する。
【００１１】
また本発明の防水カメラシステムは、
前記検出部は、前記取付部内に配置されており、互いに接触して導通している一対の検出端子からなり、
前記一対の検出端子は、前記コネクタ又は前記蓋部材が前記取付部に取り付けられた際に前記コネクタ又は前記蓋部材によって前記検出端子どうしの接触が妨げられて非導通状態となることで、前記コネクタ又は前記蓋部材が前記取付部へ取り付けられたことを検出することを特徴とする。
【発明の効果】
【００１２】
本発明によれば、蓋の閉め忘れ等によって外部機器接続用のコネクタが水没しても、カメラの誤動作や故障及び撮影データの破損等を防ぐことができる防水ケース及び防水カメラシステムを提供することができる。
【発明を実施するための最良の形態】
【００１３】
以下、本発明の各実施形態に係る防水ケース及び防水カメラシステムについて添付図面に基づいて説明する。
（第１実施形態）
図１は、本発明の第１実施形態に係る防水ケースの構成を示す図である。
図１に示すように本実施形態に係る防水ケース１は、不図示の外部機器からのケーブルのコネクタを接続するためのコネクタ部を備えたカメラを収納することに適した防水ケースであって、前カバー２と後カバー３とからなる。
【００１４】
前カバー２の前面にはレンズポート４、上面には電源ボタン５及びレリーズボタン６がそれぞれ設けられている。
電源ボタン５は、本防水ケース１にデジタルカメラを収納した際に当該デジタルカメラの電源ボタンの位置に対応する位置に設けられており、使用者が電源ボタン５を押し込むことで、電源ボタン５の下部（後述する図３中の軸５ａ）がデジタルカメラの電源ボタンに当接し、該ボタンが押し込まれる。このようにして電源ボタン５によってデジタルカメラの電源の操作を行うことができる。
またレリーズボタン６もこれと同様の構成であり、デジタルカメラのレリーズボタン操作を行うことができる。
【００１５】
また、前カバー２内部にはカメラ接続用のケーブル８が備えられており、該ケーブル８の一方のコネクタ部７は前カバー２側面に露出して配置されている。このコネクタ部７は、デジタルカメラのコネクタ部と同じ形状をしており、デジタルカメラのコネクタ部に接続可能な外部機器を同様に接続できるようになっている。そして、ケーブル８のもう一方のコネクタ部９は、本防水ケース１にデジタルカメラを収納した際に該カメラのコネクタ部へ接続することができる。これにより、本防水ケース１にデジタルカメラを収納し、コネクタ部９をデジタルカメラのコネクタ部へ接続し、外部機器からのケーブルのコネクタをコネクタ部７へ接続することで、外部機器とデジタルカメラとの通信が可能となる。また本防水ケース１は、コネクタ部７に着脱自在のコネクタ蓋１０を付属品として備え、これを取り付けることでコネクタ部７の防水が達成される。なお、コネクタ部７付近の詳細な構成については後述する。
【００１６】
後カバー３の後面には操作ボタン群１１が設けられており、該操作ボタン群１１は上述の電源ボタン５と同様の構成であって、これによりデジタルカメラ背面に配置された各種設定ボタンの操作を行うことができる。
さらに、後カバー３に対する前カバー２の当接面２ａには、不図示のＯリングが全周にわたってはめ込まれている。したがって、防水ケース１にデジタルカメラを収納し、前カバー２と後カバー３とを不図示のバックルで締め付け固定することによって、防水ケース１が密閉されて防水が達成される。
以上の構成により、本防水ケース１に収納したデジタルカメラの水中での使用が可能となる。
【００１７】
図２は、本発明の第１実施形態に係る防水ケースに収納されるデジタルカメラの外観を示す図である。
図２に示すデジタルカメラ１５は、それ自体で地上での使用が可能な一般的なデジタルカメラであって、前面にレンズ１６、上面に電源ボタン１７及びレリーズボタン１８、側面には外部機器と通信を行うためのコネクタ部１９、背面には不図示の各種設定ボタンをそれぞれ備えている。
コネクタ部１９は、不図示の外部機器からのケーブルのコネクタを接続することで、デジタルカメラ１５と外部機器との通信が可能となり、これにより例えばデジタルカメラ１５から撮影データを取り出すことができる。また、外部機器としてＡＣアダプタを用いれば、デジタルカメラ１５内部に備えられている充電池を充電することもできる。
【００１８】
次に、本実施形態に係る防水ケース１の最も特徴的な構成について説明する。
図３は、本発明の第１実施形態に係る防水ケースにデジタルカメラを収納した状態を示す要部拡大断面図である。
図３に示すように電源ボタン５は、押し込んだ際にその軸５ａがデジタルカメラ１５の電源スイッチ１７に当接して押し込むことができるように前カバー２に挿設されており、バネ５ｂによって図中上方向へ付勢されている。また、電源ボタン５の軸５ａの下方には、突起部２０が形成されている。なお、電源ボタン５の軸５ａと前カバー２との間にはＯリング５ｃが備えられており、水密に保たれている。
【００１９】
コネクタ部７の内側には、コネクタ蓋１０又は外部機器からのケーブルのコネクタが取り付けられたことを検出するための検出部として、図中右方向へ押し込み可能な突起部２１が設けられている。この突起部２１は、Ｌ字型のアーム２２の先端に一体的に形成されており、さらにこのアーム２２の他端には図紙面手前方向へ延在するロック部２３が一体的に形成されている。またアーム２２は、図中左右方向へ移動可能に設けられており、不図示のバネによって図中左方向へ付勢されているため、突起部２１は図中左側へ突出した状態が維持される。なお、突起部２１と前カバー２との間にはＯリング２１ａが備えられており、水密に保たれている。
【００２０】
斯かる構成により、突起部２１にロック部２３を連動させることが可能となり、その動作について以下に説明する。
図３（ａ）に示すように、コネクタ部７に対してコネクタ蓋１０又は外部機器からのケーブルのコネクタが取り付けられていない場合、ロック部２３は電源ボタン５の突起部２０を係止する位置、即ち突起部２０の真下に位置する。このため、電源ボタン５を押そうとしても突起部２０がロック部２３に係止されて押し込むことができず、デジタルカメラ１５の電源操作を行うことができない。
【００２１】
一方、図３（ｂ）に示すように、コネクタ部７に対してコネクタ蓋１０又は外部機器からのケーブルのコネクタが取り付けられた場合、当該コネクタ蓋１０又は当該コネクタによって突起部２１が押し込まれ、これに伴いロック部２３はアーム２２を介して突起部２０を係止しない位置へ退避する。これにより、電源ボタン５の突起部２０はロック部２３によって係止されなくなり、即ち電源ボタン５のロックが解除され、電源ボタン５を押し込んでカメラ１５の電源操作を行うことができるようになる。なお、コネクタ蓋１０又は外部機器のコネクタを外した際には、上述のようにアーム２２が不図示のバネで付勢されているため、図３（ａ）の状態に戻ることとなる。
【００２２】
以上より、本実施形態に係る防水ケースにデジタルカメラを収納して使用すれば、外部機器からのコネクタを防水ケースのコネクタ部に接続することで、ケース自体を開けることなく撮影データの取り出しや充電を行うことができる。そして、コネクタ部に蓋も外部機器からのコネクタも取り付けられていない場合にはカメラの起動が禁止されるため、たとえコネクタ部の蓋を閉め忘れたままで水没させてしまっても撮影データの破損やデジタルカメラの故障を防ぐことができる。
また、本防水ケースを水中に入れる前に、撮影可能枚数や電池残量の確認のために起動しようとしても、蓋も外部機器からのケーブルも取り付けられていない場合には起動しないため、事前に蓋の閉め忘れに気付くことができる。
【００２３】
（第２実施形態）
以下、本発明の第２実施形態に係る防水ケースについて、上記第１実施形態に係る防水ケースと同様の構成である部分には同じ符号を付して説明を省略し、特徴的な部分について詳細に説明する。なお、上記第１実施形態において述べた図１及び図２の構成については、本実施形態においても同様であるため、必要に応じて図１及び図２を参照する。
図４は、本発明の第２実施形態に係る防水ケースにデジタルカメラを収納した状態を示す要部拡大断面図である。
【００２４】
本防水ケース３０内において、電源ボタン５の軸５ａとデジタルカメラ１５の電源スイッチ１７との間には、電源ボタン５が押し込まれることを防ぎデジタルカメラ１５の起動を禁止するためのロック部３１が配置されている。また本防水ケース３０内にはロック部３１を駆動するための駆動部３２が備えられており、これによりロック部３１は図中左右方向へ移動することができる。またさらに本防水ケース３０内には、駆動部３２に電力を供給するための電源部３３が配置されている。
【００２５】
そして、コネクタ部３５の内側には、コネクタ蓋１０又は外部機器からのケーブルのコネクタが取り付けられたことを検出するための検出部として、突起形状で図中右方向へ押し込み可能なスイッチ３４が設けられている。このスイッチ３４は、前述の駆動部３２から不図示の配線を介してコネクタ部３５の内側まで引き回して配置された駆動部３２のスイッチであって、該スイッチ３４が押し込まれることで駆動部３２がロック部３１を駆動することとなる。なお、スイッチ３４と前カバー２との間にはＯリング３４ａが備えられており、水密に保たれている。
【００２６】
斯かる構成により、スイッチ３４にロック部３１を連動させることが可能となり、その動作について以下に説明する。
図４（ａ）に示すように、コネクタ部３５に対してコネクタ蓋１０又は外部機器からのケーブルのコネクタが取り付けられていない場合、ロック部３１は電源ボタン５の軸５ａを係止する位置、即ち軸５ａの真下に位置する。このため、電源ボタン５を押そうとしても軸５ａがロック部３１に係止されて押し込むことができず、デジタルカメラ１５の電源操作を行うことができない。
【００２７】
一方、図４（ｂ）に示すように、コネクタ部３５に対してコネクタ蓋１０又は外部機器からのケーブルのコネクタが取り付けられた場合、当該コネクタ蓋１０又は当該コネクタによってスイッチ３４が押し込まれ、駆動部３２はロック部３１を駆動して軸５ａを係止しない位置へ退避させる。これにより、電源ボタン５の軸５ａはロック部３１によって係止されなくなり、即ち電源ボタン５のロックが解除され、電源ボタン５を押し込んでカメラ１５の電源操作を行うことができるようになる。なお、コネクタ蓋１０又は外部機器のコネクタを外した際には、押し込まれていたスイッチ３４が元に戻り、これによって駆動部３２が再びロック部３１を駆動し、図４（ａ）の状態に戻ることとなる。
【００２８】
以上より、本実施形態に係る防水ケースは、上記第１実施形態と同様の効果を奏することができる。
なお、上述のように本実施形態では、コネクタ蓋１０又は外部機器のコネクタを検出する検出部としてスイッチ３４を配置しているが、検出部としてセンサ、例えば圧力センサを配置し該センサの出力に連動して駆動部３２を作動させる構成とすることもできる。
【００２９】
（第３実施形態）
本発明の第３実施形態に係る防水カメラシステムは、外部機器からのケーブルのコネクタを接続するためのコネクタ部を備えたデジタルカメラと、当該デジタルカメラを収納した防水ケースとからなる。なお、本実施形態における防水ケース及びデジタルカメラの全体的な構成は、上記第１実施形態において述べた図１及び図２の構成と同様であるためその説明を省略し、以下、特徴的な部分について必要に応じて図１及び図２も参照しながら詳細に説明する。
【００３０】
図５は、本発明の第３実施形態における防水ケースのコネクタ部の構成を示す図である。
図５（ａ）に示すように、本実施形態における防水ケース４０に設けられたコネクタ部４１内には、データ送信用の端子や充電用の端子等の通常の端子の他に、コネクタ蓋１０又は外部機器からのケーブルのコネクタが取り付けられたことを検出するための検出部として、互いに接触して導通する一対の検出端子４２が備えられている。
この一対の検出端子４２は、ケース４０外側へ向かって延びた細長い形状の端子４２ａと、Ｖ字形状であってその一端が端子４２ａに対して弾性的に接触するように設けられた端子４２ｂとからなる。そしてこの検出端子４２には、微弱な電流（以下、「検出用電流」という。）がデジタルカメラ１５から常に供給されており、端子４２ａと端子４２ｂが接触した状態において導通するように構成されている。
【００３１】
また、本防水ケース４０におけるコネクタ蓋４５の内側には、該コネクタ蓋４５をコネクタ部４１に対して取り付けた際に、端子４２ａと端子４２ｂとの間に入り込みこれらの接触を遮るための突起部４６が形成されている。これにより、コネクタ蓋４５をコネクタ部４１に取り付けた際には、検出端子４２に検出用電流が流れなくなり、非導通状態となる。
さらに、本実施形態において用いられる不図示の外部機器からのケーブルのコネクタにも前述の突起部４６と同様の突起部が備えられている。これにより、外部機器からのコネクタをコネクタ部４１に取り付けた際にも、検出端子４２に検出用電流が流れなくなり、非導通状態となる。
【００３２】
ここで、デジタルカメラ１５のコネクタ部１９には、防水ケース４０の一対の検出端子４２に対応するように一対のカメラ側検出端子が設けられている。上述の検出用電流はこのカメラ側検出端子から供給されるものであり、デジタルカメラ１５はこのカメラ側検出端子の導通状態を確認することで、防水ケース４０における検出端子４２の導通状態を検出することができる。したがってデジタルカメラ１５は、カメラ側検出端子によって防水ケース４０の検出端子４２の導通状態を確認することで、防水ケース４０のコネクタ部４１に対してコネクタ蓋４５又は外部機器からコネクタが取り付けられているか否かを検出することができる。
【００３３】
以上の構成の下、本実施形態におけるデジタルカメラ１５には、図６に示すようなカメラ起動のためのフローが設定されている。図６は、本発明の第３実施形態におけるデジタルカメラの起動を制御するためのフローを示す図である。
本フローは、使用者によって防水ケース４０の電源ボタン５が押し込まれ、これに伴い当該電源ボタン５の軸５ａによってデジタルカメラ１５の電源スイッチ１７が押されることで開始される。
ステップ１：上記一対の検出端子４２の導通状態を確認することにより、防水ケース４０のコネクタ部４１に対してコネクタ蓋４５又は外部機器からのコネクタが取り付けられているか否かを検出する。そして、非導通状態が確認された場合はステップ２へ進み、導通状態が確認された場合にはステップ３へ進む。
ステップ２：デジタルカメラ１５が起動し、使用可能な状態となる。
ステップ３：デジタルカメラ１５は起動せず、本フローがそのまま終了する。
【００３４】
以上より、本実施形態に係る防水カメラシステムは、外部機器からのコネクタを防水ケースのコネクタ部に接続することで、ケース自体を開けることなく撮影データの取り出しや充電を行うことができる。
そして上述のように、コネクタ部に蓋も外部機器からのコネクタも取り付けられていない場合にはカメラの起動が禁止されるため、たとえコネクタ部の蓋を閉め忘れたままで本カメラシステムを水没させて防水ケースのコネクタ部がショートしてしまっても、デジタルカメラ内部の主回路に通電することがないため、撮影データの破損やカメラの故障を防ぐことができる。なお、防水ケースのコネクタ部がショートしても、検出端子４２の導通状態には実質的に変化がないため、検出用電流を供給する回路が損壊することも当然ない。
また、本カメラシステムを水中に入れる前に、撮影可能枚数や電池残量の確認のために起動しようとしても、蓋も外部機器からのコネクタも取り付けられていない場合には起動しないため、蓋の閉め忘れに気付くことができる。
【００３５】
以上より各実施形態によれば、蓋の閉め忘れ等によって外部機器接続用のコネクタが水没しても、カメラの誤動作や故障及び撮影データの破損等を防ぐことができる防水ケース及び防水カメラシステムを提供することができる。
【図面の簡単な説明】
【００３６】
【図１】本発明の第１実施形態に係る防水ケースの構成を示す図である。
【図２】本発明の第１実施形態に係る防水ケースに収納されるデジタルカメラの外観を示す図である。
【図３】本発明の第１実施形態に係る防水ケースにデジタルカメラを収納した状態を示す要部拡大断面図である。
【図４】本発明の第２実施形態に係る防水ケースにデジタルカメラを収納した状態を示す要部拡大断面図である。
【図５】本発明の第３実施形態における防水ケースのコネクタ部の構成を示す図である。
【図６】本発明の第３実施形態におけるデジタルカメラの起動を制御するためのフローを示す図である。
【符号の説明】
【００３７】
１，３０，４０    防水ケース
５    電源ボタン
７，３５，４１    コネクタ部
８    ケーブル
１０，４５    コネクタ蓋
１５    デジタルカメラ
２１    突出部
２３，３１    ロック部
３４    スイッチ
４２    一対の検出端子
【図１】
2006343581.tif 000003
【図２】
2006343581.tif 000004
【図３】
2006343581.tif 000005
【図４】
2006343581.tif 000006
【図５】
2006343581.tif 000007
【図６】
2006343581.tif 000008